(57)【要約】【課題】買い主に有用な広告を配信可能な広告配信システムを提供する。【解決手段】売り主は広告登録端末３０を操作して広告配信装置２０の広告データベースに広告を登録する。広告配信装置２０は、商品の底値や近隣で最も安い安値を登録した価格マスタ８００を参照しながら、広告データベースに登録された広告を配信一時ファイル３００に読み込む。広告配信装置２０は、携帯電話機１０から送信された買物メモ１５５を参照しながら、配信一時ファイル３００に基づいて配信データ４００を作成する。配信データ４００は、通常の広告情報ほか、底値商品、安値商品、割引商品など識別するフラグを含む。広告配信装置２０はこの配信データ４００を携帯電話機１０に送信する。携帯電話機１０はこの配信データ４００に基づいて買い主に有用な広告だけを表示する。【選択図】        図５
2004192484.tif 000002
【特許請求の範囲】
【請求項１】
売り主の要望に応じて入力された商品の価格を含む商品の広告を記憶する広告記憶手段と、
前記広告記憶手段に記憶された商品の広告を買い主の携帯電話機に配信する広告配信手段と、
前記商品の底値を記憶する底値記憶手段と、
価格が前記底値記憶手段に記憶された底値以下の商品を前記広告記憶手段から検索する底値商品検索手段と、
前記底値商品検索手段により検索された商品を前記携帯電話機に表示させる表示手段とを備えたことを特徴とする広告配信システム。
【請求項２】
携帯電話機とその携帯電話機に接続可能な広告配信装置とを備えた広告配信システムであって、
前記広告配信装置は、
売り主の要望に応じて入力された商品の価格を含む商品の広告を記憶する広告記憶手段と、
前記商品の底値を記憶する底値記憶手段と、
価格が前記底値記憶手段に記憶された底値以下の商品を前記広告記憶手段から検索し、その検索した商品に底値情報を付与する底値検索手段と、
前記商品の広告を前記底値情報とともに前記携帯電話機に配信する広告配信手段とを備え、
前記携帯電話機は、
前記広告配信装置から配信された商品の広告の中から前記底値情報が付与された商品の広告を抽出して表示する表示手段を備えたことを特徴とする広告配信システム。
【請求項３】
請求項２に記載の広告配信システムであって、
前記広告配信装置はさらに、
前記広告記憶手段に記憶された商品の価格が前記底値記憶手段に記憶された底値よりも安いとき、前記底値記憶手段に記憶された底値を前記広告記憶手段に記憶された商品の価格に書き換える底値更新手段を備えたことを特徴とする広告配信システム。
【請求項４】
請求項２に記載の広告配信システムであって、
前記携帯電話機は、
買い主の操作に応じて底値の許容範囲を登録する手段と、
前記登録された底値の許容範囲を前記広告配信装置に送信する手段とを備え、
前記底値検索手段は前記底値以下の商品に加えて価格が前記携帯電話機から送信された底値の許容範囲内の商品も検索することを特徴とする広告配信システム。
【請求項５】
携帯電話機とその携帯電話機に接続可能な広告配信装置とを備えた広告配信システムであって、
前記広告配信装置は、
複数の売り主の要望に応じて入力された商品の価格を含む商品の広告を記憶する広告記憶手段と、
前記複数の売り主が販売する同じ種類の商品の中から価格が最も安い商品を前記広告記憶手段から検索し、その検索した商品に安値情報を付与する安値検索手段と、
前記商品の広告を前記安値情報とともに前記携帯電話機に配信する広告配信手段とを備え、
前記携帯電話機は、
前記広告配信装置から配信された商品の広告の中から前記安値情報が付与された商品の広告を抽出して表示する表示手段を備えたことを特徴とする広告配信システム。
【請求項６】
携帯電話機とその携帯電話機に接続可能な広告配信装置とを備えた広告配信システムであって、
前記広告配信装置は、
売り主の要望に応じて入力された商品の価格を含む商品の広告を記憶する広告記憶手段と、
前記商品の広告を前記携帯電話機に配信する広告配信手段とを備え、
前記携帯電話機は、
買い主の操作に応じて所望の商品をメモに登録する手段と、
前記広告配信装置から配信された商品の広告の中から前記メモに登録された所望の商品の広告を抽出して表示する表示手段とを備えたことを特徴とする広告配信システム。
【請求項７】
請求項６に記載の広告配信システムであって、
前記携帯電話機はさらに、
前記メモを前記広告配信装置に送信する手段を備え、
前記広告配信装置はさらに、
前記携帯電話機から送信されたメモ内の商品を前記広告記憶手段から検索し、その検索した商品に所望商品情報を付与する所望商品検索手段を備え、
前記広告配信手段は前記商品の広告を前記所望商品情報とともに配信し、
前記表示手段は前記広告配信装置から配信された広告の中から前記所望商品情報が付与された商品の広告を抽出して表示することを特徴とする広告配信システム。
【請求項８】
請求項６に記載の広告配信システムであって、
前記携帯電話機はさらに、
買い主の操作に応じて前記所望の商品の希望購入価格を前記メモに登録する手段と、
前記メモを前記広告配信装置に送信する手段とを備え、
前記広告配信装置はさらに、
前記携帯電話機から送信されたメモ内の商品であって価格が前記希望購入価格以下の商品を前記広告記憶手段から検索し、その検索した商品に所望商品情報を付与する所望商品検索手段を備え、
前記広告配信手段は前記商品の広告を前記所望商品情報とともに配信し、
前記表示手段は前記広告配信装置から配信された広告の中から前記所望商品情報が付与された商品の広告を抽出して表示することを特徴とする広告配信システム。
【請求項９】
携帯電話機とその携帯電話機に接続可能な広告配信装置とを備えた広告配信システムであって、
前記広告配信装置は、
売り主の要望に応じて入力された商品の価格を含む商品の広告を記憶する広告記憶手段と、
商品の通常価格を記憶する通常価格記憶手段と、
価格が前記通常価格記憶手段に記憶された通常価格よりも安い商品を前記広告記憶手段から検索し、その検索した商品に割引情報を付与する割引検索手段と、
前記商品の広告を前記割引情報とともに前記携帯電話機に配信する広告配信手段とを備え、
前記携帯電話機は、
前記広告配信装置から配信された商品の広告の中から前記割引情報が付与された商品の広告を抽出して表示する表示手段を備えたことを特徴とする広告配信システム。
【請求項１０】
請求項９に記載の広告配信システムであって、
前記携帯電話機は、
買い主の操作に応じて所望の割引率を登録する手段と、
前記登録された割引率を前記広告配信装置に送信する手段とを備え、
前記割引検索手段は前記通常価格に対する割引率が前記携帯電話機から送信された割引率以上の商品を検索することを特徴とする広告配信システム。
【請求項１１】
携帯電話機とその携帯電話機に接続可能な広告配信装置とを備えた広告配信システムであって、
前記携帯電話機は、
買い主の操作に応じて所望の商品に関するメモを登録する手段と、
前記メモを前記広告配信装置に送信する手段とを備え、
前記広告配信装置は、
売り主の要望に応じて入力された商品の価格を含む商品の広告を記憶する広告記憶手段と、
前記広告記憶手段に記憶された商品の広告に対応するキーワードを記憶するキーワード記憶手段と、
前記携帯電話機から送信されたメモを前記キーワード記憶手段に記憶されたキーワードで検索し、前記メモが前記キーワードを含むとき前記キーワードに対応する商品の広告を抽出するキーワード検索手段と、
前記キーワード検索手段により抽出された商品の広告を前記携帯電話機に配信する広告配信手段とを備え、
前記携帯電話機はさらに、
前記広告配信装置から配信された商品の広告を表示する表示手段を備えたことを特徴とする広告配信システム。
【請求項１２】
携帯電話機に接続可能な広告配信装置による広告配信方法であって、
売り主の要望に応じて商品の価格を含む商品の広告を広告記憶手段に登録するステップと、
価格が底値記憶手段に記憶された底値以下の商品を前記広告記憶手段から検索し、その検索した商品に底値情報を付与するステップと、
前記商品の広告を前記底値情報とともに前記携帯電話機に配信するステップとを備えたことを特徴とする広告配信方法。
【請求項１３】
請求項１２に記載の広告配信方法であってさらに、
前記広告記憶手段に記憶された商品の価格が前記底値記憶手段に記憶された底値よりも安いとき、前記底値記憶手段に記憶された底値を前記広告記憶手段に記憶された商品の価格に書き換えるステップを備えたことを特徴とする広告配信方法。
【請求項１４】
携帯電話機に接続可能な広告配信装置による広告配信方法であって、
複数の売り主の要望に応じて入力された商品の価格を含む商品の広告を広告記憶手段に登録するステップと、
前記複数の売り主が販売する同じ種類の商品の中から価格が最も安い商品を前記広告記憶手段から検索し、その検索した商品に安値情報を付与するステップと、
前記商品の広告を前記安値情報とともに前記携帯電話機に配信するステップとを備えたことを特徴とする広告配信方法。
【請求項１５】
携帯電話機に接続可能な広告配信装置による広告配信方法であって、
売り主の要望に応じて商品の価格を含む商品の広告を広告記憶手段に登録するステップと、
価格が通常価格記憶手段に記憶された商品の通常価格よりも安い商品を前記広告記憶手段から検索し、その検索した商品に割引情報を付与するステップと、
前記商品の広告を前記割引情報とともに前記携帯電話機に配信するステップとを備えたことを特徴とする広告配信方法。
【請求項１６】
請求項１２〜１５のいずれか１項に記載のステップをコンピュータに実行させる広告配信プログラム。
【発明の詳細な説明】
【０００１】
【発明の属する技術分野】
本発明は、広告配信システム及びその方法に関し、さらに詳しくは、携帯電話機に商品の広告を配信する広告配信システム及びその方法に関する。
【０００２】
【従来の技術】
従来、商品やサービスの広告を行う方法として、新聞に広告用の折り込みチラシを挟んで新聞とともに公衆に宅配する方法がある。特にスーパーマーケットやディスカウントストア等の流通・小売業では、取り扱っている商品等を購入するのは一般消費者であるため、チラシに広告を掲載する方法は、販売促進のための有効な方法であった。しかしながら、チラシに広告等を掲載する方法は販売促進のための有効な方法ではなくなりつつある。新聞購買者が年々減少しているからである。特に若年層は宅配による新聞購読をしている割合が低い。新聞により情報を得なくてもインターネットやテレビにより情報を得ることが可能だからである。また、インターネットやテレビにより情報を得た方が新聞により情報を得るよりも費用がかからないためである。
【０００３】
よって、流通・小売業が取り扱う商品等を広告する方法として、チラシに代わる代替方法が必要となっていた。チラシに代わる広告方法として、インターネット又は携帯電話機を用いたマーケティング方法がある。このようなマーケティング方法には、オプトインメール型と特典提供型の２つのタイプがある。オプトインメール型とは事前にダイレクトメールの受け取りを了承したユーザに電子メールによるダイレクトメールを送信するマーケティング方法である。ユーザは多数の情報の中から、予め興味のある項目等を選び、その項目等についての情報を電子メールで受け取ることができる。特典提供型とは、バナー広告やオプトインメールを受信する代償として、その受信実績によりポイント等の特典をユーザに提供するマーケティング方法である。しかしながら、このようなオプトインメール型及び特典提供型のマーケティング方法では、携帯電話機が双方向通信可能な媒体であることや、携帯電話機が常時携帯される確立が高いといった特徴を最大限に利用できていない。
【０００４】
【特許文献１】
特開２００２−２６９１９８号公報
【特許文献２】
特開２００２−３２６５０号公報
【０００５】
【発明が解決しようとする課題】
本発明の目的は、売り主は広告を簡易かつ広く買い主に配信でき、しかも買い主は自身に有用な広告だけを閲覧できる広告配信システムを提供することである。
【０００６】
【課題を解決するための手段】
本発明の１つ局面による広告配信システムは、売り主の要望に応じて入力された商品の価格を含む商品の広告を記憶する広告記憶手段と、広告記憶手段に記憶された商品の広告を買い主の携帯電話機に配信する広告配信手段と、商品の底値を記憶する底値記憶手段と、価格が底値記憶手段に記憶された底値以下の商品を広告記憶手段から検索する底値商品検索手段と、底値商品検索手段により検索された商品を携帯電話機に表示させる表示手段とを備える。
【０００７】
この広告配信システムによれば、売り主の要望に応じて入力された広告を買い主の携帯電話機に配信し、かつ底値以下の商品を携帯電話機に表示させているため、売り主は広告を簡易かつ広く買い主に配信することができ、しかも買い主は底値以下の商品を容易に認識することができる。
【０００８】
本発明のもう１つ局面による広告配信システムは、携帯電話機とその携帯電話機に接続可能な広告配信装置とを備えた広告配信システムである。広告配信装置は、売り主の要望に応じて入力された商品の価格を含む商品の広告を記憶する広告記憶手段と、商品の底値を記憶する底値記憶手段と、価格が底値記憶手段に記憶された底値以下の商品を広告記憶手段から検索し、その検索した商品に底値情報を付与する底値検索手段と、商品の広告を底値情報とともに携帯電話機に配信する広告配信手段とを備える。記携帯電話機は、広告配信装置から配信された商品の広告の中から底値情報が付与された商品の広告を抽出して表示する表示手段を備える。
【０００９】
この広告配信システムによれば、売り主の要望に応じて入力された広告を底値情報とともに買い主の携帯電話機に配信し、かつその商品の広告の中から底値以下の商品の広告を抽出して携帯電話機に表示しているため、買い主は底値以下の商品の広告だけを閲覧することができる。
【００１０】
好ましくは、広告配信装置はさらに、広告記憶手段に記憶された商品の価格が底値記憶手段に記憶された底値よりも安いとき、底値記憶手段に記憶された底値を広告記憶手段に記憶された商品の価格に書き換える底値更新手段を備える。
【００１１】
好ましくは、携帯電話機は、買い主の操作に応じて底値の許容範囲を登録する手段と、登録された底値の許容範囲を広告配信装置に送信する手段とを備える。底値検索手段は底値以下の商品に加えて価格が携帯電話機から送信された底値の許容範囲内の商品も検索する。
【００１２】
この場合、底値でなくてもほぼ底値とみなす条件を買い主ごとに設定しているため、買い主は自らが決めた条件を満たしたほぼ底値の広告だけを閲覧することができる。
【００１３】
本発明のさらにもう１つ局面による広告配信システムは、携帯電話機とその携帯電話機に接続可能な広告配信装置とを備えた広告配信システムである。広告配信装置は、複数の売り主の要望に応じて入力された商品の価格を含む商品の広告を記憶する広告記憶手段と、複数の売り主が販売する同じ種類の商品の中から価格が最も安い商品を広告記憶手段から検索し、その検索した商品に安値情報を付与する安値検索手段と、商品の広告を安値情報とともに携帯電話機に配信する広告配信手段とを備える。携帯電話機は、広告配信装置から配信された商品の広告の中から安値情報が付与された商品の広告を抽出して表示する表示手段を備える。
【００１４】
この広告配信システムによれば、売り主の要望に応じて入力された広告を安値情報とともに買い主の携帯電話機に配信し、かつその商品の広告の中から安値の商品の広告を抽出して携帯電話機に表示しているため、買い主は価格が最も安い商品を容易に認識することができる。
【００１５】
本発明のさらにもう１つ局面による広告配信システムは、携帯電話機とその携帯電話機に接続可能な広告配信装置とを備えた広告配信システムである。広告配信装置は、売り主の要望に応じて入力された商品の価格を含む商品の広告を記憶する広告記憶手段と、商品の広告を携帯電話機に配信する広告配信手段とを備える。携帯電話機は、買い主の操作に応じて所望の商品をメモに登録する手段と、広告配信装置から配信された商品の広告の中からメモに登録された所望の商品の広告を抽出して表示する表示手段とを備える。
【００１６】
好ましくは、携帯電話機はさらに、メモを広告配信装置に送信する手段を備える。広告配信装置はさらに、携帯電話機から送信されたメモ内の商品を広告記憶手段から検索し、その検索した商品に所望商品情報を付与する所望商品検索手段を備える。広告配信手段は商品の広告を所望商品情報とともに配信する。表示手段は広告配信装置から配信された広告の中から所望商品情報が付与された商品の広告を抽出して表示する。
【００１７】
この広告配信システムによれば、売り主の要望に応じて入力された広告を所望商品情報とともに買い主の携帯電話機に配信し、かつその商品の広告の中から買い主がメモに登録した商品の広告を抽出して携帯電話機に表示しているため、買い主は購入予定の商品の広告だけを閲覧することができる。
【００１８】
好ましくは、携帯電話機はさらに、買い主の操作に応じて所望の商品の希望購入価格をリストに登録する手段と、メモを広告配信装置に送信する手段とを備える。広告配信装置はさらに、携帯電話機から送信されたメモ内の商品であって価格が希望購入価格以下の商品を広告記憶手段から検索し、その検索した商品に所望商品情報を付与する所望商品検索手段を備える。広告配信手段は商品の広告を所望商品情報とともに配信する。表示手段は広告配信装置から配信された広告の中から所望商品情報が付与された商品の広告を抽出して表示する。
【００１９】
この場合、配信された商品の広告の中から買い主の希望購入価格以下の商品の広告を抽出して携帯電話機に表示しているため、買い主は購入予定の商品であって希望購入価格以下の商品の広告だけを閲覧することができる。
【００２０】
本発明のさらにもう１つ局面による広告配信システムは、携帯電話機とその携帯電話機に接続可能な広告配信装置とを備えた広告配信システムである。広告配信装置は、売り主の要望に応じて入力された商品の価格を含む商品の広告を記憶する広告記憶手段と、商品の通常価格を記憶する通常価格記憶手段と、価格が通常価格記憶手段に記憶された通常価格よりも安い商品を広告記憶手段から検索し、その検索した商品に割引情報を付与する割引検索手段と、商品の広告を割引情報とともに携帯電話機に配信する広告配信手段とを備える。携帯電話機は、広告配信装置から配信された商品の広告の中から割引情報が付与された商品の広告を抽出して表示する表示手段を備える。
【００２１】
この広告配信システムによれば、売り主の要望に応じて入力された広告を割引情報とともに買い主の携帯電話機に配信し、かつその商品の広告の中から割引商品の広告を抽出して携帯電話機に表示しているため、買い主は通常よりも安い商品の広告だけを閲覧することができる。
【００２２】
好ましくは、携帯電話機は、買い主の操作に応じて所望の割引率を登録する手段と、登録された割引率を広告配信装置に送信する手段とを備える。割引検索手段は通常価格に対する割引率が携帯電話機から送信された割引率以上の商品を検索する。
【００２３】
この場合、配信された商品の広告の中から買い主の希望割引率以上の商品の広告を抽出して携帯電話機に表示しているため、買い主は購入予定の商品であって希望割引率以上の商品の広告だけを閲覧することができる。
【００２４】
本発明のさらにもう１つ局面による広告配信システムは、携帯電話機とその携帯電話機に接続可能な広告配信装置とを備えた広告配信システムである。携帯電話機は、買い主の操作に応じて所望の商品に関するメモを登録する手段と、メモを広告配信装置に送信する手段とを備える。広告配信装置は、売り主の要望に応じて入力された商品の価格を含む商品の広告を記憶する広告記憶手段と、広告記憶手段に記憶された商品の広告に対応するキーワードを記憶するキーワード記憶手段と、携帯電話機から送信されたメモをキーワード記憶手段に記憶されたキーワードで検索し、メモがキーワードを含むときキーワードに対応する商品の広告を抽出するキーワード検索手段と、キーワード検索手段により抽出された商品の広告を携帯電話機に配信する広告配信手段とを備える。携帯電話機はさらに、広告配信装置から配信された商品の広告を表示する表示手段を備える。
【００２５】
この広告配信システムによれば、買い主が登録したメモをキーワードで検索し、メモがそのキーワードを含むときそのキーワードに対応する商品の広告を携帯電話機に配信して表示しているため、売り主は買い主の購入予定商品に関連する広告を配信することができ、買い主は購入予定商品に関連する広告を閲覧することができる。
【００２６】
本明細書において、「商品」は、役務はもちろんのこと、売り主が発行するサービスクーポンなども含む概念で使用される。商品の場合はその金額（価格）が安いほど買い主にとって有益であるのに対し、サービスクーポンの場合は逆にその金額が高いほど買い主にとって有益である。したがって、サービスクーポンの金額はマイナスの値とみなせば、商品の価格と同等に取り扱うことができる。また、「携帯電話機」は、ＰＨＳ、携帯情報端末（ＰＤＡ）を含む概念で使用される。
【００２７】
【発明の実施の形態】
以下、図面を参照し、本発明の実施の形態を詳しく説明する。図中同一又は相当部分には同一符号を付してその説明を援用する。
【００２８】
１．広告配信システムの概要
本発明の実施の形態による広告配信システム（以下、本システムと称する）の詳細を説明する前に、本システムの概要を説明する。
【００２９】
本システムは、図１に示すように、携帯電話機１０と、携帯電話機１０に広告を配信するための広告配信装置２０と、広告配信装置２０に広告を登録するため広告登録端末３０とを備える。広告配信装置２０はサーバとして機能し、携帯電話機１０及び広告登録端末３０はクライアントとして機能する。携帯電話機１０は、商品の買い主が所持し、使用する。広告配信装置２０は、広告配信業者が管理し、運用する。広告登録端末３０は、スーパーマーケット等の売り主の店舗に設置され、売り主が使用する。
【００３０】
売り主は、広告登録端末３０を用いて商品の広告を広告配信装置２０に登録する。広告配信装置２０は登録された広告を携帯電話機１０に配信するが、登録された広告をそのまま配信するのではなく、買い主に応じてカスタマイズしかつ買い主に有用な態様で広告を配信する。具体的には、買い主が底値の商品を容易に識別可能な態様で広告を配信する。また、買い主の居住地域内にある店舗の広告だけを配信する。また、複数の店舗で販売されている同じ商品の中で最も安い商品を容易に識別可能な態様で広告を配信する。また、１つの店舗で通常よりも安い商品を容易に識別可能な態様で広告を配信する。さらに、買い主が購入を予定している商品の広告を配信する。買い主はこのような広告を携帯電話機１０で受信し、自身に有用な広告だけを峻別して閲覧する。
【００３１】
広告配信装置２０は、広告を登録し編集しかつ携帯電話機１０に配信するためのコンピュータプログラムをインストールすることにより構築する。携帯電話機１０には、広告配信装置２０から配信された広告を受信しかつ表示するためのコンピュータプログラムがインストールされる。広告登録端末３０は、売り主の操作に応じて所望の広告を入力しかつ広告配信装置２０に送信するためのコンピュータプログラムをインストールすることにより構築する。
【００３２】
図１では、携帯電話機１０は１台しか示されていないが、通常は複数台存在する。また、広告登録端末３０は１台しか示されていないが、複数台存在していてもよい。また、売り主が広告配信業者を兼ねる場合、広告登録端末３０は広告配信装置２０に一体化されていてもよい。また、広告は通常は店舗の従業員により入力されるが、代わりに店舗から委託された第三者により入力されてもよい。
【００３３】
２．広告配信システムの主な機能
本システムは、主として、広告配信機能、広告表示機能、広告配信実績紹介機能、及びポイント還元機能を有する。以下、各機能を説明する。
【００３４】
２−１．広告配信機能
広告配信機能は、買い主に有用な広告を携帯電話機１０で表示できるように、登録された多数の広告を編集し、買い主の携帯電話機１０に配信する機能である。広告配信機能には、底値通知機能、安値通知機能、及び買い得通知機能がある。底値通知機能は、現在広告されている商品の中で底値（今までに広告された任意の商品の価格の中で最も安い価格）を通知する機能である。複数の店舗が本システムに参加する場合は、全店舗で過去最低の広告価格が底値となる。１つの店舗だけが本システムに参加する場合は、その店舗で過去最低の広告価格が底値となる。安値通知機能は、複数の店舗において現在広告されている同じ種類の商品の中で最も安い価格（安値）を通知する機能である。買い得通知機能は、１つの店舗において現在広告されている商品の中で通常よりも安い商品を通知する機能である。
【００３５】
２−２．広告表示機能
広告表示機能は、配信された広告を携帯電話機１０の表示画面に買い主に有用な買い物リストとして表示する機能である。買い物リストには具体的には、上記広告配信機能により通知された底値、安値、及び買い得の商品が表示される。買い物リストにはまた、買い物メモに登録された商品も表示される。買い物メモには、買い主が購入を予定している商品が登録される。
【００３６】
２−３．広告配信実績照会機能
広告配信実績機能は、配信された広告のうち買い物リストの対象となった広告の数を照会する機能である。この機能により、売り主は他と比較して広告の有効性を判断することができる。また、売り主は登録した広告がどのような買い主に利用されたかを確認することができる。よって、この機能は広告企画の改善に役立つ。
【００３７】
２−４．ポイント還元機能
ポイント還元機能は、配信された広告の数に応じて買い主にサービスポイントを発行する機能である。配信された広告の数は、売り主ごとにかつ買い主ごとに集計可能である。よって、売り主は、自身の店舗だけで利用可能なサービスポイントを自身の広告を受信してくれた買い主だけに発行することができる。また、ポイントの発行数を広告の受信数に応じて増やすことで、売り主は携帯電話機１０にかかるパケット受信料金を買い主に還元することができる。
【００３８】
従来のオプトインメールやバナー広告のクリックに応じてポイントを発行するポイントシステムの場合、自身の店舗で発行したポイントが他の店舗で使用されたり、あるいは他の店舗で発行されたポイントが自身の店舗で使用されたりすることが多い。これに対し、このポイント還元機能は店舗ごとにポイントを発行する。既にスーパーマーケット等ではその店舗専用のポイントを発行するサービスが定着しているため、このポイント還元機能は買い主にとってのメリットを訴求しやすい。また、買い主は獲得したポイントをそのポイントを発行した店舗で利用しようとすると予想される。
【００３９】
３．広告配信システムの全体構成
次に、図１を参照して本システムの構成を詳細に説明する。
【００４０】
携帯電話機１０は、ＣＰＵなどのデータ処理部１０１と、ＲＡＭ１０２と、ＥＥＰＲＯＭ１０３と、アンテナ１０４と、送受信部１０５と、テンキーやカーソルキーなどの入力部１０６と、液晶ディスプレイなどの表示部１０７と、バッテリ１０８と、インターフェース（Ｉ／Ｆ）部１０９とを備える。この携帯電話機１０は電源アダプタ１１０に装着され、電源アダプタ１１０からＩ／Ｆ部１０９を通じてバッテリ１０８に電流が供給され、バッテリ１０８が充電される。データ処理部１０１は、ＲＡＭ１０２、ＥＥＰＲＯＭ１０３、送受信部１０５、入力部１０６、表示部１０７及びＩ／Ｆ部１０９を用いて通常の携帯電話機能を実行するとともに、上述した広告表示機能を実行する。
【００４１】
広告配信装置２０は、ＣＰＵなどのデータ処理部２０４と、ＲＯＭ、ＲＡＭ、ハードディスクなどのデータ記憶部２０１とを備える。データ記憶部２０１は、共通データベース２０２と、広告データベース２０３とを備える。共通データベース２０２は、分類マスタ６００と、商品マスタ７００と、価格マスタ８００と、地域マスタ９００とを含む。データ処理部２０４は、共通データベース２０２及び広告データベース２０３を用い、上述した広告配信機能を実行する。データ処理部２０４で作成された広告は、無線基地局４０のアンテナ４０４から携帯電話機１０に送信される。
【００４２】
広告登録端末３０は、売り主の操作に応じて所望の広告を入力し、その入力された広告をネットワーク５０を介して広告配信装置２０に送信する。
【００４３】
３−１．広告データベースの構成
広告データベース２０３には、次の表１に示すように店舗ごとに広告情報１００が登録される。
【００４４】
【表１】
2004192484.tif 000003
表１を参照して、各店舗の広告情報１００には、店コードの欄と、有効日付の欄と、商品分類の欄と、広告の欄と、通常の欄とがある。店コードの欄には、各店舗に一意に付与された識別番号が記録される。有効日付の欄には、広告が有効な日付が記録される。商品分類の欄には、各商品を特定するための分類番号が記録される。商品分類の欄にはさらに、大分類の欄と、中分類の欄と、小分類の欄とがある。大分類の欄には大分類番号が記録され、中分類の欄には中分類番号が記録され、小分類の欄には小分類番号及び商品名が記録される。広告の欄には、広告の内容が記録される。広告の欄にはさらに、広告表示数量の欄と、広告表示価格の欄と、広告基準価格の欄とがある。広告表示数量の欄には、広告商品の販売単位（広告表示数量）が記録される。広告表示価格の欄には、広告商品の販売価格（広告表示価格）が記録される。広告基準価格の欄には、広告商品の基準単位当たりの価格（広告基準価格）が記録される。
【００４５】
表１の例では、玉ねぎをＡ店は３個３９８円で販売しているのに対し、Ｂ店は１個８５円で販売している。したがって、広告表示価格を単純に比較しても、どちらの店舗の玉ねぎが安いのかを判断することはできない。そのため、価格を比較するときの商品の数又は量を決めておく必要がある。この商品の数又は量が基準単位であり、基準単位当たりの価格が基準価格である。広告基準価格は次の式（１）で算出される。
【００４６】
広告基準価格＝広告表示価格／広告表示数量×基準単位  （１）
【００４７】
「玉ねぎ」の基準単位は「１個」であるから、Ａ店の広告基準価格は「１３２．７円」であるのに対し、Ｂ店の広告基準価格は「８５．０円」である。よって、Ｂ店の玉ねぎの方が安い。なお、各商品の基準単位は商品マスタ７００に登録されているが、これについては後述する。
【００４８】
また、通常の欄には、通常時における商品の販売内容が記録される。通常の欄にはさらに、通常表示数量の欄と、通常表示価格の欄と、通常基準価格の欄とがある。通常表示数量の欄には、通常時における商品の販売単位（通常表示数量）が記録される。通常表示価格の欄には、通常時における商品の販売価格（通常表示価格）が記録される。通常基準価格の欄には、通常時における商品の基準単位当たりの価格（通常基準価格）が記録される。通常基準価格は次の式（２）で算出される。
【００４９】
通常基準価格＝通常表示価格／通常表示数量×基準単位  （２）
【００５０】
３−２．分類マスタの構成
次の表２は、分類マスタ６００に登録されるテーブルの一例を示す。
【００５１】
【表２】
2004192484.tif 000004
表２を参照して、分類マスタ６００は、広告データベース２０３に登録される商品分類の体系を表したテーブルを有する。このテーブルには、大分類の欄と、中分類の欄とがある。大分類の欄には、大分類識別子及び大分類名が記録される。表２の例では、大分類識別子「００１」は大分類名「鮮魚」を示す。また、大分類識別子「００３」は大分類名「青果」を示す。中分類の欄には、大分類をさらに細分化した中分類、具体的には中分類識別子及び中分類名が記録される。たとえば大分類識別子「００３」の大分類名「青果」に対応する中分類の欄には、中分類識別子「００１」の中分類名「レタス」と、中分類識別子「００２」の中分類名「大根」と、中分類識別子「００３」の中分類名「玉ねぎ」とが記録される。
【００５２】
３−３．商品マスタの構成
次の表３は、商品マスタ７００に登録されるテーブルの一例を示す。
【００５３】
【表３】
2004192484.tif 000005
表３を参照して、商品マスタ７００は、広告データベース２０３に登録される商品の名称を登録するためのテーブルを有する。このテーブルには、大分類の欄と、中分類の欄と、小分類の欄と、商品名の欄と、基準単位の欄とがある。大分類の欄には大分類識別子が記録され、中分類の欄には中分類識別子が記録される。小分類の欄には、中分類をさらに細分化した小分類、具体的には小分類識別子が記録される。商品名の欄には小分類識別子に対応して商品名が記録される。表２の例では、大分類識別子「００４（＝日用品）」の中分類識別子「００１（＝トイレットペーパー）」に対応して、小分類識別子「０００」及び商品名「トイレットペーパー」、小分類識別子「００１」及び商品名「ＴＡ」、並びに小分類識別子「００３」及び商品名「ＴＢ」が記録される。基準単位の欄には、基準価格を算定するための基準単位が記録される。
【００５４】
３−４．価格マスタの構成
次の表４は、価格マスタ８００に登録されるテーブルの一例である。
【００５５】
【表４】
2004192484.tif 000006
表４を参照して、価格マスタ８００は、所定地域ごとに商品の底値及び安値を登録するためのテーブルを有する。このテーブルには、地域コードの欄と、商品分類の欄と、底値の欄と、安値基準価格の欄とがある。地域コードの欄には、所定地域ごとに予め定められた地域コードが記録される。分類の欄には、大分類の欄と、中分類の欄と、小分類の欄とがある。これらの欄には、前述した大分類識別子、中分類識別子、及び小分類識別子が記録される。底値の欄には、底値表示数量の欄と、底値表示価格の欄と、底値基準価格の欄と、参照日付の欄とがある。底値表示数量の欄には商品が底値で販売されたときの一販売当たりの商品の数量が記録され、底値表示価格の欄には底値で販売されたときの一販売当たりの商品の価格が記録され、底値基準価格の欄には底値で販売された商品の基準価格が記録される。表４の例では、商品「サンマ」（大分類「００１」、中分類「００１」、小分類「００１」）は、３尾で３００円が底値である。よって、底値表示数量は「３尾」であり、底値表示価格は「３００円」である。また、表２に示した商品マスタ７００より商品「サンマ」の基準単位は「１尾」であるから、底値基準価格は「１００円」である。
【００５６】
参照日付の欄には、広告基準価格が底値基準価格よりも安い場合、又は広告基準価格が底値基準価格以上であってもその差額が所定範囲（本例では底値基準価格の１０％）内の場合、その広告の有効日付が記録される。ただし、その差額が所定範囲外の場合、参照日付は以前のまま維持される。すなわち、参照日付は底値基準価格が更新されるか、更新されなくても広告基準価格が現在登録されている底値基準価格に近い場合、参照日付は更新される。したがって、底値基準価格が異常に安い広告基準価格で更新されたとすると、参照日付は長期間更新されなくなる。よって、参照日付が長期間更新されない場合は登録されている底値基準価格をクリアするようにすれば、底値基準価格が異常に安い広告基準価格で更新され、それ以降ずっと更新されなくなるのを防止することができる。
【００５７】
また、安値基準価格の欄には、複数の店舗の中で最も安い商品の広告基準価格が記録される。
【００５８】
３−５．地域マスタの構成
次の表５は、地域マスタ９００に登録されるテーブルの一例である。
【００５９】
【表５】
2004192484.tif 000007
表５を参照して、地域マスタ９００は、各店舗の所在地域を特定するためのテーブルを有する。このテーブルには、地域コードの欄と、店コードの欄とがある。店コードの欄には、１つの地域コードに対応して１又は２以上の店コードが記録される。表５の例では、地域コード「００１」に対応して２つの店コード「００１」及び「００２」が記録されている。すなわち、店コード「００１」は地域コード「００１」だけでなく地域コード「００２」にも対応して記録されている。「００１」の店舗は実際には「００２」の地域に存在する場合でも「００１」の地域が「００２」の地域と隣接しているときは、このような態様で店コードを記録することにより「００１」の店舗の広告を「００２」の地域だけでなく「００１」の地域にも配信できるようにする。
【００６０】
４．広告配信システムの動作
次に、本システムの動作を説明する。本システムは、主として広告配信機能及び広告表示機能という２つの動作を行う。
【００６１】
４−１．広告配信機能
広告配信機能による動作は、広告登録処理、価格マスタ更新処理、配信一時ファイル作成処理、配信処理の順に行われる。以下、各処理を説明する。
【００６２】
４−１−１．広告登録処理
まず図１及び図２を参照して、広告の登録処理を説明する。この処理は、売り主が広告登録端末３０を用いて広告配信装置２０の広告データベース２０３に所望の広告を登録するものである。以下、この処理の詳細を説明する。
【００６３】
まず、広告登録端末３０は売り主の操作に応じて広告の有効日付を入力する（Ｓ１）。
【００６４】
続いて、広告登録端末３０は分類マスタ６００を照会し、全ての大分類を取得する（Ｓ２）。広告登録端末３０は、取得した大分類をディスプレイ（図示せず）上に表示する。広告登録端末３０は、表示された大分類の中から売り主の操作に応じて所望の１つを選択する（Ｓ３）。広告登録端末３０は分類マスタ６００を検索し、選択された大分類に属する全ての中分類を取得する（Ｓ４）。広告登録端末３０は、取得した中分類をディスプレイ上に表示する。
【００６５】
表示された中分類の中に広告を登録しようとする中分類がある場合、売り主はその中分類を選択するが、ない場合、所望の中分類を入力する。中分類がある場合、広告登録端末３０は分類マスタ６００の中から売り主の操作に応じて所望の中分類を選択し、ステップＳ６に進む（Ｓ５）。一方、中分類がなく、入力する場合、広告登録端末３０はステップＳ８に進む（Ｓ５）。
【００６６】
分類マスタ６００の中から中分類を選択した場合、広告登録端末３０は商品マスタ７００を検索し、選択された中分類に属する全ての小分類を取得する（Ｓ６）。広告登録端末３０は、取得した小分類をディスプレイ上に表示する。広告登録端末３０は、表示された小分類の中から売り主の操作に応じて所望の１つを選択する（Ｓ７）。一方、売り主が所望の中分類を入力する場合、広告登録端末２０は中分類識別子及び小分類識別子をともに「９９９」に設定し（Ｓ８）、売り主の操作に応じて所望の小分類名を入力する（Ｓ９）。
【００６７】
続いて、広告登録端末３０は売り主の操作に応じて広告内容を入力する（Ｓ１０）。具体的には、広告商品の販売単位である広告表示数量と、広告商品の販売価格である広告表示価格とを入力する。広告登録端末３０は、入力された広告表示数量及び広告表示価格並びに商品マスタ７００に登録されている基準単位に基づき、前述した式（１）により広告基準価格を算出する（Ｓ１１）。
【００６８】
続いて、広告登録端末３０はこれらの広告情報を広告配信装置２０に送信し、広告データベース２０３に登録する（Ｓ１２）。具体的には、入力された広告表示数量を広告表示数量の欄に記録し、入力された広告表示価格を広告表示価格の欄に記録し、算出された広告基準価格を広告基準価格の欄に記録する。
【００６９】
全ての広告を登録し終えた場合、広告登録端末３０は上述した広告登録処理を終了するが、未だ終えていない場合はステップＳ３に戻って広告登録処理を繰り返す。
【００７０】
なお、図２のフロー図には示されていないが、ステップＳ１０で広告内容を入力するとき、通常時における商品の販売内容が未だ広告データベース２０３に登録されていない場合はその内容も併せて入力する。具体的には、通常時における商品の販売単位である通常表示数量と、通常時における商品の販売価格である通常表示価格とを入力する。広告登録端末３０は、ステップＳ１１で広告基準価格を算出するとき、入力された通常表示数量及び通常表示価格並びに商品マスタ７００に登録されている基準単位に基づき、前述した式（２）により通常基準価格も併せて算出する。広告登録端末３０は、ステップＳ１２で広告情報を登録するとき、通常時における商品の販売情報も併せて登録する。具体的には、入力された通常表示数量を通常表示数量の欄に記録し、入力された通常表示価格を広告表示価格の欄に記録し、算出された通常基準価格を通常基準価格の欄に記録する。
【００７１】
また、ステップＳ１１で広告基準価格や通常基準価格を算出するときに商品マスタ７００に登録されている基準単位を用いているが、商品マスタ７００に登録されていない商品については基準単位も登録されていない。そこで、商品マスタ７００に登録されていない商品の広告基準価格や通常基準価格を算出する場合には、基準単位を「１」に設定する。表１の例ではＡ店の広告情報１００に「歯ブラシ」が登録されているが、「歯ブラシ」は商品マスタ７００に登録されていない。そのため、基準単位を「１」に設定し、広告基準価格「１３２．０円」（＝１３２円／１本×１本）や通常基準価格「１５０．０円」（＝１５０円／１本×１本）を算出している。
【００７２】
４−１−２．価格マスタ更新処理
次に図１及び図３を参照して、価格マスタ８００の更新処理を説明する。上述した広告登録処理が終了すると、広告配信装置２０は価格マスタ８００の更新処理を開始する。この処理は、広告データベース２０３に登録された広告情報１００に基づき、価格マスタ８００に登録されている底値及び安値を更新するものである。以下、この処理の詳細を説明する。
【００７３】
まず広告配信装置２０において、データ処理部２０４は広告データベース２０３の中からある１つの商品に関する広告情報１００を読み込む（Ｓ１４）。
【００７４】
続いて、データ処理部２０４は共通データベース２０２の地域マスタ９００を検索し、読み込んだ広告情報１００の店コードに対応する地域コードを読み込む（Ｓ１５）。
【００７５】
続いて、データ処理部２０４は価格マスタ８００を検索し、読み込んだ地域コードと同じ地域コードを有しかつ読み込んだ広告情報１００の商品分類と同じ商品分類を有する商品を特定する（Ｓ１６）。
【００７６】
続いて、データ処理部２０４は、ステップＳ１４で読み込んだ広告情報１００の広告基準価格をステップＳ１６で特定した商品の底値基準価格と比較する（Ｓ１７）。比較の結果、広告基準価格が底値基準価格よりも安い場合、データ処理部２０４は広告基準価格で底値基準価格を更新する（Ｓ１８）。この場合、データ処理部２０４は読み込んだ広告情報１００の広告表示価格及び広告表示数量で価格マスタ８００の底値表示価格及び底値表示数量もそれぞれ併せて更新する（Ｓ１８）。その後、データ処理部２０４は読み込んだ広告情報１００の有効日付で価格マスタ８００の参照日付を更新する（Ｓ２０）。
【００７７】
一方、広告基準価格が底値基準価格よりも安くない高い場合、データ処理部２０４は広告基準価格が次の式（３）を満たすか否かを判断する（Ｓ１９）。
【００７８】
広告基準価格≦底値基準価格＋１０％  （３）
【００７９】
広告基準価格が式（３）を満たす場合、データ処理部２０４は上記と同様に広告情報１００の有効日付で価格マスタ８００の参照日付を更新する（Ｓ２０）。一方、広告基準価格が式（３）を満たさない場合、データ処理部２０４は参照日付を更新せず、次のステップＳ２１に進む。底値基準価格の所定割合は本システムで予め設定される。本例では所定割合を底値基準価格の１０％に設定している。
【００８０】
次に、データ処理部２０４は、ステップＳ１４で読み込んだ広告情報１００の広告基準価格をステップＳ１６で特定した商品の安値基準価格と比較する（Ｓ２１）。比較の結果、広告基準価格が安値基準価格よりも安い場合、データ処理部２０４は広告基準価格で安値基準価格を更新する（Ｓ２２）。一方、広告基準価格が安値基準価格よりも安くない場合、データ処理部２０４は安値基準価格を変更せず、次のステップＳ２３に進む。
【００８１】
最後に、データ処理部２０４は広告データベース２０３に登録されている全ての商品に関する広告情報１００について価格マスタ更新処理を行ったか否かを判断する（Ｓ２３）。全ての商品に関する広告情報１００について価格マスタ更新処理を行った場合、データ処理部２０４は価格マスタ更新処理を終了するが、行っていない場合はステップＳ１４に戻って価格マスタ更新処理を繰り返す。
【００８２】
４−１−３．配信一時ファイル作成処理
次に図１、図４及び図５を参照して、配信一時ファイル３００の作成処理を説明する。上述した価格マスタ更新処理が終了すると、広告配信装置２０は配信一時ファイル３００の作成処理を開始する。この処理は、広告データベース２０３に登録されている広告情報１００及び価格マスタ８００に登録されている底値及び安値に基づいて、携帯電話機１０への配信データを作成するのに必要な配信一時ファイル３００を作成するものである。配信一時ファイル３００の作成処理を説明する前に、まず配信一時ファイル３００の構成を説明する。
【００８３】
次の表６は、配信一時ファイル３００の一例である。
【００８４】
【表６】
2004192484.tif 000008
表６を参照して、配信一時ファイル３００には、携帯電話機１０に配信すべき配信データの作成に必要な情報が記録される。配信一時ファイル３００には具体的には、有効日付の欄と、地域コードの欄と、店コードの欄と、商品分類（大分類、中分類、小分類）の欄と、基準単位の欄と、広告（広告表示数量、広告表示価格、広告基準価格）の欄と、安値フラグの欄と、底値基準価格の欄と、通常基準価格の欄とがある。安値フラグの欄には、広告基準価格が安値か否かを識別するためのフラグが記録される。配信一時ファイル３００の各欄には、後述の一時ファイル作成処理により所定の情報が記録される。以下、配信一時ファイル作成処理の詳細を説明する。
【００８５】
まず広告配信装置２０において、データ処理部２０４は広告データベース２０３の中からある１つの商品に関する広告情報１００（店コード、有効日付、大分類識別子、中分類識別子、小分類識別子、広告表示数量、広告表示価格、広告基準価格、通常表示数量、通常表示価格、通常基準価格）を読み込む（Ｓ２４）。
【００８６】
続いて、データ処理部２０４は共通データベース２０２の地域マスタ９００を検索し、ステップＳ２４で読み込んだ店コードに対応する地域コードを付加する（Ｓ２５）。
【００８７】
続いて、データ処理部２０４は分類マスタ６００を検索し、ステップＳ２４で読み込んだ大分類識別子及び中分類識別子にそれぞれ対応する大分類名及び中分類名を付加する（Ｓ２６）。
【００８８】
続いて、データ処理部２０４は商品マスタ７００を検索し、ステップＳ２４で読み込んだ小分類識別子に対応する基準単位を付加する（Ｓ２７）。
【００８９】
続いて、データ処理部２０４は価格マスタ８００を検索し、ステップＳ２５で読み込んだ地域コード及びステップＳ２４で読み込んだ商品分類（大分類識別子、中分類識別子、小分類識別子）に基づいて当該商品の安値基準価格及び底値基準価格を抽出する（Ｓ２８）。
【００９０】
続いて、データ処理部２０４はステップＳ２４で読み込んだ広告基準価格をステップＳ２８で抽出した安値基準価格と比較する（Ｓ２９）。比較の結果、広告基準価格が安値基準価格以下の場合、安値フラグを「１」にする（Ｓ３０）。一方、広告基準価格が安値基準価格よりも高い場合、安値フラグを「０」にする（Ｓ３１）。
【００９１】
続いて、データ処理部２０４はステップＳ２８で抽出した底値基準価格を付加する（Ｓ３２）。
【００９２】
続いて、データ処理部２０４はステップＳ２４〜Ｓ２８，Ｓ３０〜Ｓ３３で得た広告情報、地域コード、大分類名及び中分類名、基準単位、安値フラグ、及び底値基準価格を配信一時ファイル３００に登録する（Ｓ３３）。
【００９３】
最後に、データ処理部２０４は広告データベース２０３に登録されている全ての商品に関する広告情報１００について配信一時ファイル作成処理を行ったか否かを判断する（Ｓ３４）。全ての商品に関する広告情報１００について配信一時ファイル作成処理を行った場合、データ処理部２０４は配信一時ファイル作成処理を終了するが、行っていない場合はステップＳ２４に戻って配信一時ファイル作成処理を繰り返す。
【００９４】
４−１−４．配信処理
次に図１、図５及び図６を参照して、広告の配信処理を説明する。上述した配信一時ファイル作成処理が終了すると、広告の配信準備が整う。広告配信装置２０は携帯電話機１０からの広告配信要求に応じて広告の配信処理を開始する。この処理は、作成された配信一時ファイルに基づき、携帯電話機１０への配信データを作成するものである。ただし、全ての買い主に同じ配信データを配信するのではなく、買い主ごとにカスタマイズした配信データを配信する。配信データをカスタマイズするために、買い主は必要な情報を携帯電話機１０に登録する。配信処理の詳細を説明する前に、このカスタマイズ情報の登録方法を説明する。
【００９５】
まず、携帯電話機１０は買い主の操作に応じて買物メモ１５２を登録する（Ｓ３８）。買物メモ１５２は、買い主が購入を予定している商品を登録しておくためのものである。買物メモ１５２の登録方法は２通りある。１つは分類マスタ６００に登録されている商品の中から１つを選択する方法である。もう１つは任意の商品を手動で入力する方法である。
【００９６】
最初に分類マスタ６００の中から商品を選択する方法を説明する。図７を参照して、携帯電話機１０はＥＥＰＲＯＭ１０３には買物メモ１５２を記憶している。買物メモ１５２には、利用者ＩＤの欄、商品分類（大分類及び中分類）の欄、買値の欄、及び登録日の欄がある。買値の欄にはさらに、数量の欄及び価格の欄がある。
【００９７】
買い主が買物メモ１５２を登録する場合、携帯電話機１０は表示部１０７に買物メモの画面１１１を表示する。買い主は購入予定商品を登録するとき、買物メモの画面１１１上の「２．追加」を選択する。これにより、画面１１１は画面１１２に切り替わる。買い主は画面１１２上の「１．分類マスタより選択」を選択する。その結果、携帯電話機１０は無線基地局４０を介して広告配信装置２０に接続され、分類マスタ６００から大分類及び中分類を取得する。これにより、画面１１２は画面１１３に切り替わる。この画面１１３上には取得した複数の大分類が表示される。買い主は表示された大分類の中から購入予定商品が属する大分類を１つ選択する。図７の例では、買い主は「４．日用品」を選択している。買い主が大分類を選択すると、図示されていないが、携帯電話機１０は選択した大分類に属する中分類を表示する。買い主は購入予定商品が属する中分類を選択する。選択された大分類及び中分類は、買物メモ１５２の商品分類の欄に記録される。
【００９８】
続いて、買い主は選択した中分類に属する商品の買値情報を登録する。買値情報には、買値数量及び買値価格が含まれる。買値数量は買い主の希望購入数量であり、買値価格は買い主の希望購入価格である。希望購入数量は買物メモ１５２の数量の欄に記録され、希望購入価格は買物メモ１５２の価格の欄に記録される。
【００９９】
次に、任意の商品を手動で入力する方法を説明する。分類マスタ６００に購入予定商品が属する分類がない場合、図８を参照して、買い主は買物メモの画面１１２において「２．手入力」を選択する。これにより、画面１１２は画面１１４に切り替わる。この画面１１４上には、購入予定商品の名称を入力するための商品名入力部１１６と、その商品の希望購入数量を入力するための数量入力部１１７と、その商品の単位を入力するための単位入力部１１８が表示される。買い主は商品名を商品名入力部１１６に入力し、数量を数量入力部１１７に入力し、単位を単位入力部１１８に入力する。入力された商品名は買物メモ１５２の中分類の欄に記録され、入力された数量及び単位は買物メモ１５２の数量の欄に記録される。このように任意の商品を手動で入力した場合、買物メモ１５２の大分類及び中分類識の欄にはいずれも識別子「９９９」が記録される。
【０１００】
なお、買物メモ１５２の利用者ＩＤの欄には、図５に示した利用者情報１６０の利用者ＩＤが記録される。また、登録日の欄には、買物メモ１５２を登録又は更新した日付が記録される。
【０１０１】
買物メモ１５２を登録した後、携帯電話機１０は買い主の操作に応じて価格差率１５４を登録する（Ｓ３９）。価格差率は、広告基準価格が底値基準価格よりも高い場合でも買い主がほぼ底値とみる底値差率を登録したり、買い主が買い得とみる割引率を登録したりするためのものである。
【０１０２】
図９を参照して、買い主が価格差率を登録する場合、携帯電話機１０は表示部１０７に価格差率の画面１１９を表示する。買い主が画面１１９上の「２．追加」を選択すると、携帯電話機１０は無線基地局４０を介して広告配信装置２０に接続され、分類マスタ６００を参照し、全ての大分類を取得する。これにより画面１１９は画面１２０に切り替わり、携帯電話機１０は取得した大分類を画面１２０上に表示する。買い主は表示された大分類の中から価格差率を設定しようとする大分類を１つ選択する。図９の例では、買い主は「３．青果」を選択している。大分類を選択すると、画面１２０は画面１２１に切り替わる。画面１２１には、底値差率を入力するための底値差率入力部１２２と、割引率を入力するための割引率入力部１２３とが表示される。買い主は所望の底値差率を底値差率入力部１２２に入力し、所望の割引率を割引率入力部１２３に入力する。図９の例では、「３％」の底値差率が入力され、「１０％」の割引率が入力されている。
【０１０３】
上述したカスタマイズ情報（買物メモ及び価格差率）の登録後、買い主が携帯電話機１０を操作して広告の配信を要求すると、広告配信装置２０は広告の配信処理を開始する。以下、図１、図５及び図６を参照して、配信処理の詳細を説明する。
【０１０４】
携帯電話機１０は、上記で登録された買物メモ１５２（厳密にはその一部）及び価格差率１５４を利用者情報１６０とともに広告配信装置２０に送信し（Ｓ４０、図５中の▲１▼）、広告配信装置２０はこれを受信する（Ｓ４１）。このとき、買物メモ１５２の中分類識別子は送信されるが、中分類名は送信されない。中分類名は分類マスタ６００に登録されているからである。また、買物メモ１５２に手動で入力された商品の情報（図５の例では「サラダ油」に関する情報）も送信されない。手動で入力された商品には正規の分類コードがなく、広告データベース２０３や価格マスタ８００を参照できないからである。ただし、価格差率１５４及び利用者情報１６０の内容はそのまま送信される。その結果、広告配信装置２０は図３に示すような買物メモ１５５（買物メモ１５２の一部）を取得する。なお、利用者情報１６０には、利用者ＩＤ、メールアドレス及び地域コードが含まれる。これらは予め登録されている。
【０１０５】
広告配信装置２０は買物メモ１５５などを受信した後、その受信した買物メモ１５５及び上記で作成した配信一時ファイル３００に基づいて配信データ４００を作成し、携帯電話機１０に送信する（図５中の▲２▼）。
【０１０６】
次の表７は、配信データ４００の構成を示す。
【０１０７】
【表７】
2004192484.tif 000009
表７を参照して、配信データ４００には、有効日付、店コード、商品分類（大分類、中分類、小分類）、広告（広告表示数量及び広告表示価格）、フラグ（底値フラグ、安値フラグ、割引フラグ、買物メモフラグ、Ｍｕｓｔ−Ｂｕｙフラグ）が登録される。底値フラグは、当該商品の広告価格が底値以下又はほぼ底値か否かを識別するためのフラグである。割引フラグは、当該商品の広告価格が通常よりも安いか否かを識別するためのフラグである。買物メモフラグは、当該商品が買物メモ１５５に登録されているか否か、登録されている場合は当該商品の広告価格が希望購入価格以下か否かを識別するためのフラグである。Ｍｕｓｔ−Ｂｕｙフラグは、当該商品が買い得又は購入予定であるか否かを識別するためのフラグである。
【０１０８】
次に、この配信データ４００の作成方法の詳細を説明する。
【０１０９】
広告配信装置２０において、データ処理部２０４は上記で作成した配信一時ファイル３００から必要な情報を読み込む（Ｓ４２）。具体的には、利用者情報１６０の地域コードと同じ地域コードを有する商品について、有効日付、店コード、商品分類、広告表示数量、広告表示価格、及び安値フラグを読み込む。
【０１１０】
続いて、データ処理部２０４は買物メモフラグを設定する（Ｓ４３〜Ｓ４９）。具体的には、データ処理部２０４は買物メモ１５５を検索し（Ｓ４３）、商品分類が買物メモ１５５に登録されているか否かを判断する（Ｓ４４）。判断の結果、商品分類が買物メモ１５５に登録されている場合、データ処理部２０４は次の式（４）により買値基準価格を算出する（Ｓ４５）。
【０１１１】
買値基準価格＝買値価格／買値数量×基準単位  （４）
【０１１２】
買値価格及び買値数量は買物メモ１５５から読み出され、基準単位は配信一時ファイル３００から読み出される。買値基準価格は、基準単位当たりの希望購入価格である。
【０１１３】
続いて、データ処理部２０４は広告基準価格を算出した買値基準価格と比較する（Ｓ４６）。比較の結果、広告基準価格が買値基準価格以下の場合、データ処理部２０４は買物メモフラグを「２」にする（Ｓ４７）。一方、広告基準価格が買値基準価格以下でない場合、データ処理部２０４は買物メモフラグを「１」にする（Ｓ４８）。
【０１１４】
一方、ステップＳ４４における判断の結果、商品分類が買物メモ１５５に登録されていない場合、データ処理部２０４は買物メモフラグを「０」にする（Ｓ４９）。
【０１１５】
ステップＳ４３〜Ｓ４９の結果、買い主が買物メモに登録した商品のうち、希望購入価格以下で広告されている商品については買物メモフラグが「２」になり、希望購入価格よりも高い価格で広告されている商品については買物メモフラグが「１」になる。買い主が買物メモに登録していない商品については買物メモフラグが「０」になる。
【０１１６】
続いて、データ処理部２０４は底値フラグを設定する（Ｓ５０〜Ｓ５４）。具体的には、データ処理部２０４は、広告基準価格を底値基準価格と比較する（Ｓ５０）。比較の結果、広告基準価格が底値基準価格以下の場合、データ処理部２０４は底値フラグを「１」にする（Ｓ５１）。一方、広告基準価格が底値基準価格以下でない場合、データ処理部２０４は広告基準価格が次の式（５）を満たすか否か判断する（Ｓ５２）。
【０１１７】
広告基準価格≦底値基準価格×（１＋底値差率）  （５）
【０１１８】
広告基準価格及び底値基準価格は配信一時ファイル３００から読み出され、底値差率は価格差率１５４から読み出される。判断の結果、広告基準価格が式（５）を満たす場合、データ処理部２０４は底値フラグを「２」にする（Ｓ５３）。一方、広告基準価格が式（５）を満たさない場合、データ処理部２０４は底値フラグを「０」にする（Ｓ５４）。
【０１１９】
ステップＳ５０〜Ｓ５４の結果、底値以下の商品については底値フラグが「１」になる。また、底値以下でない商品であってもほぼ底値の商品については底値フラグが「２」になり、ほぼ底値でもない商品については底値フラグは「０」になる。
【０１２０】
続いて、データ処理部２０４は割引フラグを設定する（Ｓ５５〜Ｓ５７）。具体的には、データ処理部２０４は価格差率１５４の割引率が次の式（６）を満たすか否かを判断する（Ｓ５５）。
【０１２１】
割引率≦（通常基準価格−広告基準価格）／通常基準価格×１００  （６）
【０１２２】
判断の結果、割引率が式（６）を満たす場合、データ処理部２０４は割引フラグを「１」にする（Ｓ５６）。一方、割引率が式（６）を満たさない場合、データ処理部２０４は割引フラグを「０」にする（Ｓ５７）。
【０１２３】
ステップＳ５５〜Ｓ５７の結果、買い主の希望割引率以上に割引されている商品については割引フラグが「１」になり、それほど割引されていない商品については割引フラグが「０」になる。
【０１２４】
続いて、データ処理部２０４はＭｕｓｔ−Ｂｕｙフラグを設定する（Ｓ５８〜Ｓ６３）。具体的には、データ処理部２０４は、底値フラグが「１」又は「２」であるか否かを判断する（Ｓ５８）。判断の結果、底値フラグが「１」又は「２」の場合、データ処理部２０４はＭｕｓｔ−Ｂｕｙフラグを「Ｔｒｕｅ（真）」にする（Ｓ５９）。一方、底値フラグが「１」又は「２」でない場合、つまり「０」の場合、データ処理部２０４は安値フラグが「１」か否かを判断する（Ｓ６０）。判断の結果、安値フラグが「１」の場合、データ処理部２０４はＭｕｓｔ−Ｂｕｙフラグを「Ｔｒｕｅ」にする（Ｓ５９）。一方、安値フラグが「０」の場合、データ処理部２０４は割引フラグが「１」か否かを判断する（Ｓ６１）。判断の結果、割引フラグが「１」の場合、データ処理部２０４はＭｕｓｔ−Ｂｕｙフラグを「Ｔｒｕｅ」にする（Ｓ５９）。一方、割引フラグが「０」の場合、データ処理部２０４は買物メモフラグが「１」又は「２」であるか否かを判断する（Ｓ６２）。判断の結果、買物メモフラグが「１」又は「２」の場合、データ処理部２０４はＭｕｓｔ−Ｂｕｙフラグを「Ｔｒｕｅ」にする（Ｓ５９）。一方、買物メモフラグが「１」又は「２」でない場合、つまり「０」の場合、データ処理部２０４はＭｕｓｔ−Ｂｕｙフラグを「Ｆａｌｓｅ（偽）」にする（Ｓ６３）。
【０１２５】
ステップＳ５８〜Ｓ６３の結果、底値又はほぼ底値の商品、安値の商品、高割引率の商品、又は購入予定の商品についてはＭｕｓｔ−Ｂｕｙフラグが「Ｔｒｕｅ」になる。
【０１２６】
以上の結果、配信データ４００の作成が完了し、データ処理部２０４はこの完成した配信データを携帯電話機１０に送信する（Ｓ６４）。続いて、データ処理部２０４は広告の配信数をカウントし、広告データベース２０３内にある配信広告管理テーブル５００に記録する（Ｓ６５、図５中の▲３▼）。配信広告管理テーブル５００には、利用者ＩＤ、店コード、配信数、及び発行ポイントが記録される。配信数は店舗ごとにカウントされる。配信数は１つの広告商品につき１つカウントアップされてもよいし、１つの配信データ４００につき１つカウントアップされてもよい。発行ポイントは配信数に応じて発行される。
【０１２７】
一方、携帯電話機１０は配信データ４００を受信し（Ｓ６６）、買物メモ１５２の中から大分類識別子「９９９」の商品を検索する（Ｓ６７）。大分類識別子「９９９」の商品が存在する場合、携帯電話機１０はその商品に関する情報を受信した配信データ４００に追加する（Ｓ６８、図５中の▲４▼）。具体的には、買物メモ１５２に登録されている中分類を配信データ４００の小分類の欄に登録する。また、携帯電話機１０は底値フラグ、安値フラグ及び割引フラグを「０」にし、買物メモフラグを「１」にする。さらに、携帯電話機１０はＭｕｓｔ−Ｂｕｙフラグを「Ｔｒｕｅ」にする。
【０１２８】
上述した配信処理の結果、携帯電話機１０はその所有者たる買い主ごとにカスタマイズされた配信データ４００を取得することになる。最後に、携帯電話機１０はその配信データ４００を登録し、後述する広告表示機能を実行することにより買い主の閲覧に供する（Ｓ６９）。
【０１２９】
４−２．広告表示機能
次に、本システムの広告表示機能を説明する。
【０１３０】
４−２−１．買物リスト表示機能
買物リスト表示機能は、上述したＭｕｓｔ−Ｂｕｙフラグが「Ｔｒｕｅ」になっている商品の情報を携帯電話機１０上に表示する機能である。具体的には、携帯電話機１０は表示部１０７上に図１０に示すような買物リストを表示する。買物リストの上部には、店舗名３００（図１０の例では「Ａスーパー」）を表示する。
【０１３１】
携帯電話機１０は、Ｍｕｓｔ−Ｂｕｙフラグが「Ｔｒｕｅ」になっている商品を特定し、その広告情報を表示する。具体的には、小分類名（商品名）３０１、広告表示数量３０２、広告表示価格３０９，３０６を表示する。表７に示した配信データ４００の例では、店コード「００１」の「Ａスーパー」の広告情報１００であってＭｕｓｔ−Ｂｕｙフラグが「Ｔｒｕｅ」になっている商品は、「レタス」、「大根」、「トイレットペーパーＴＡ」である。よって、携帯電話機１０はこれらの商品の広告情報を表示する。「Ａスーパー」の広告情報１００ではないが、「サラダ油」は買物メモ１５２に登録され、Ｍｕｓｔ−Ｂｕｙフラグが「Ｔｒｕｅ」になっているから、その小分類名も併せて表示する。
【０１３２】
また、携帯電話機１０は、底値フラグが「１」になっている商品を特定し、その広告表示価格３０９の右横に下向き矢印３０３を点滅表示する。これにより、買い主は底値以下の商品を容易に認識することができる。携帯電話機１０はさらに、底値フラグが「２」になっている商品を特定し、上記表示した矢印３０４を表示する。これにより、買い主はほぼ底値の商品を容易に認識することができる。また、携帯電話機１０は、安値フラグが「１」になっている商品を特定し、その広告表示価格３０９に下線３０５を表示する。これにより、買い主は近隣の店舗の中で最も安い商品を容易に認識することができる。また、携帯電話機１０は、割引フラグが「１」になっている商品を特定し、その広告表示価格３０６を他と異なる色（たとえば赤）で表示する。これにより、買い主は希望割引率以上に割り引かれている商品を容易に認識することができる。また、携帯電話機１０は、買物メモフラグが「１」になっている商品を特定し、その商品名３０１の左横に記号３０７を表示する。これにより、買い主は買物メモ１５２に登録した商品を容易に認識することができる。また、図１０の例では示されていないが、携帯電話機１０は、買物メモフラグが「２」になっている商品を特定し、その商品名の左横に記号を点滅表示する。これにより、買い主は買物メモ１５２に登録した商品であって希望購入価格以下の商品を容易に認識することができる。
【０１３３】
４−２−２．一般広告表示機能
広告表示機能は、上述したように主に売り主に有用な広告情報のみを表示するものであるが、その他一般の広告情報も表示することもできる。図１１は、買物リストにない商品の広告情報を表示する手順を説明するための画面遷移図である。買い主が買物リストにない商品の広告情報を閲覧したい場合、図１０に示した買物リスト画面中のメニューボタン３０８をクリックする。これにより、携帯電話機１０は図１１に示すようにサブメニュー画面Ｄ１を表示する。サブメニュー画面Ｄ１には複数のサブメニューが表示される。買い主がこれらのサブメニューの中から「４．その他価格一覧」を選択すると、サブメニュー画面Ｄ１はその他価格一覧画面Ｄ２に切り替わる。その他価格一覧画面Ｄ２には、買物リストには挙がらなかったが、広告されている商品の件数が大分類ごとに表示される。買い主はその他価格一覧画面Ｄ２上で所望の大分類を選択する。たとえば「３．青果」が選択されると、その他価格一覧画面Ｄ２は選択された大分類「青果」に属する商品情報を列挙した青果画面Ｄ３に切り替わる。ここで、買い主が「玉ねぎ」の購入を予定しており、買い物する際に忘れないように買物リストに挙げておきたい場合、買い主はメニューボタン３０８をクリックする。これにより、青果画面Ｄ３は再びサブメニュー画面Ｄ１に切り替わる。買い主がサブメニューの中から「１．リストへ追加」を選択すると、携帯電話機１０は「玉ねぎ」の買物メモフラグを「０」から「１」に変更し、かつＭｕｓｔ−Ｂｙフラグを「Ｆａｌｓｅ」から「Ｔｒｕｅ」に変更する。これにより、サブメニュー画面Ｄ１は買物リスト画面Ｄ４に切り替わる。この買物リスト画面Ｄ４には追加した「玉ねぎ」が表示されている。
【０１３４】
４−２−３．底値確認機能
底値確認機能は、買物リスト画面に表示された商品の底値を確認できるようにする。図１２を参照して、買物リスト画面に表示された商品の底値を知りたい場合、買い主は買物リストの中から所望の商品を選択し、メニューボタン３０８をクリックとする。これにより、買物リスト画面はサブメニュー画面Ｄ１に切り替わる。買い主がサブメニューの中から「３．底値確認」を選択すると、携帯電話機１０は広告配信装置２０に接続され、価格マスタ８００から選択された商品の底値情報（底値表示数量、底値表示価格）を取得する。携帯電話機１０は底値確認画面Ｄ５上に取得した底値表示数量及び底値表示価格を表示する。
【０１３５】
４−２−４．他店価格確認機能
他店舗確認機能は、買物リスト画面に表示された商品の他店舗での広告表示価格を確認できるようにする。図１３を参照して、買物リスト画面に表示された商品の他店舗での広告表示価格を知りたい場合、買い主は買物リストの中から所望の商品を選択し、メニューボタン３０８をクリックする。図１３の例では「レタス」が選択されている。これにより、買物リスト画面はサブメニュー画面Ｄ１に切り替わる。買い主がサブメニューの中から「５．他店価格確認」を選択すると、携帯電話機１０は受信して保存している配信データ４００を検索し、上記で選択された商品の広告情報（広告表示数量、広告表示価格）を読み出す。図１３の例では選択された「レタス」の広告情報が読み出される。これにより、サブメニュー画面Ｄ１は店舗別価格確認画面Ｄ６に切り替わる。この画面Ｄ６には、検索で読み出された商品の広告表示数量及び広告表示価格が表示されている。図１３の例では、「Ａスーパー」に加えて、「Ｂスーパー」の「レタス」の広告表示数量及び広告表示価格が表示されている。配信データ４００に選択された商品の広告情報がない場合、携帯電話機１０は広告配信装置２０に接続され、価格マスタ８００から他の店舗の広告情報を取得する。
【０１３６】
４−２−５．通常価格確認機能
通常価格確認機能は、買物リスト画面に表示された商品の通常表示価格を確認できるようにする。図１４を参照して、買物リスト画面に表示された商品の通常表示価格を知りたい場合、買い主は買物リストの中から所望の商品を選択し、メニューボタン３０８をクリックする。図１４の例では「トイレットペーパーＴＡ」が選択されている。これにより、買物リスト画面はサブメニュー画面Ｄ１に切り替わる。買い主がサブメニューの中から「６．通常価格確認」を選択すると、携帯電話機１０は広告配信装置２０に接続され、広告データベース２０３から選択された商品の通常情報（通常表示数量、通常表示価格）を取得する。これにより、サブメニュー画面Ｄ１は通常価格確認画面Ｄ７に切り替わる。図１４の例では選択された「トイレットペーパーＴＡ」の通常表示数量及び通常表示価格が表示されている。
【０１３７】
５．広告配信システムの効果
以上のように本システムによれば、売り主の操作に応じて所望の広告を登録し、その登録された広告を買い主の携帯電話機１０に配信しているため、売り主は広告を簡易かつ広く買い主に配信することができる。しかも、底値、安値、割引など、買い主に有用な情報を付加して広告を配信しているため、買い主は買い得な商品の広告だけを閲覧することができる。また、底値でなくてもほぼ底値とみなす底値差率や希望割引率を買い主ごとに設定しているため、買い主は自らが決めた条件を満たす広告だけを閲覧することができる。また、買い主の居住地域又はその隣接地域内にある店舗の広告だけを配信しているため、売り主は近隣に住む買い主だけに広告を配信することができ、買い主は近隣にある店舗の広告だけを閲覧することができる。また、一般の広告情報とともに底値、安値、割引などの情報を含む配信データ４００を携帯電話機１０に配信しているため、携帯電話機１０は広告配信装置２０に頻繁にアクセスすることなく配信データ４００に基づいて広告を表示することができる。そのため、買い主は、場所、時間、通信料を気にせず、自由に所望の広告を閲覧することができる。また、広告は買い主に有用な情報とともに携帯電話機１０のディスプレイという限られたスペースで効率よく表示されるため、買い主は有用な広告情報を視覚的に素早く認識することができる。
【０１３８】
６．他の実施の形態
上述した実施の形態では、買物メモ１５２に手動で入力された商品の情報は携帯電話機１０から広告配信装置２０に送信されていない。そのため、この商品について言えば買物メモ１５２は買い主の備忘メモとしての役割を果たすのみである。しかし、買物メモ１５２に登録された商品は買い主の購入予定商品であるため、その商品に関連する広告は買い主だけでなく売り主にとっても有用な情報である。そこで、買物メモ１５２を広告配信装置２０に送信し、その商品に関連する広告をその買い主の携帯電話機１０に配信するようにしてもよい。
【０１３９】
次の表８は、この実施の形態で用いられる配信一時ファイル３１０の構成を示す。
【０１４０】
【表８】
2004192484.tif 000010
前述の表６と異なり、この配信一時ファイル３１０には小分類ごとに１又は２以上のキーワードが登録されている。たとえば店コード「００１」、大分類識別子「００３」、中分類識別子「００１」、小分類識別子「００１」の商品に対しては、「レタス」、「野菜」、「サラダ」といったキーワードが登録されている。
【０１４１】
以下、図１５及び図１６を参照して、この実施の形態による広告の配信処理を説明する。ただし、前述の実施の形態と異なる部分を説明し、同じ部分はその説明を援用する。
【０１４２】
携帯電話機１０は、広告配信装置２０に広告情報を要求するとき、買物メモ１５２、価格差率１５４、利用者情報１６０の全てを広告配信装置２０に送信する（Ｓ４０、図１５中の▲１▼）。前述の実施の形態と異なり、手動で買物メモ１５２に登録された大分類及び中分類識別子「９９９」の商品も送信する。
【０１４３】
広告配信装置２０は、配信一時ファイル３１０に登録されているキーワードを順に選択し、その選択したキーワードで買物メモ１５２を検索する（Ｓ１００〜Ｓ１０５）。具体的には、広告配信装置２０はキーワードカウント数Ｎを「０」にリセットする（Ｓ１００）。続いて、広告配信装置２０は配信一時ファイル３００にキーワードがあるか否かを判断する（Ｓ１０１）。キーワードがない場合、広告配信装置２０は直ちに買物メモフラグを「０」にする（Ｓ４９）。一方、キーワードがある場合、広告配信装置２０はキーワードカウント数Ｎをインクリメントし（Ｓ１０２）、Ｎ個目のキーワードを選択する（Ｓ１０３）。続いて、広告配信装置２０はその選択したキーワードで買物メモ１５２を検索し（Ｓ１０４）、そのキーワードが買物メモ１５２に含まれているか否かを判断する（Ｓ１０５）。含まれている場合は検索を終了し、次のステップＳ１０６に進むが、含まれていない場合はステップＳ１０１に戻り、検索を繰り返す。
【０１４４】
検索の結果、買物メモ１５２に含まれるキーワードを見つけた場合、広告配信装置２０はそのキーワードに対応する商品の小分類識別子が「９９９」か否かを判断する（Ｓ１０６）。判断の結果、小分類識別子が「９９９」の場合、広告配信装置２０は買物メモフラグを「１」にする（Ｓ４７）。一方、小分類識別子が「９９９」でない場合、広告配信装置２０は前述と同様に買値基準価格を算出し（Ｓ４５）、広告内容基準価格を算出した買値基準価格と比較し（Ｓ４６）、広告内容基準価格が買値基準価格以下の場合、買物メモフラグを「２」にし（Ｓ４７）、広告内容基準価格が買値基準価格以下でない場合、買物メモフラグを「１」にする（Ｓ４８）。買物メモフラグが「１」又は「２」の場合、その商品のＭｕｓｔ−Ｂｕｙフラグは「Ｔｒｕｅ」になる（Ｓ５９）。
【０１４５】
たとえば表８に示した買物メモ１５２の「油」に注目すると、広告配信装置２０は配信一時ファイル３１０内のキーワードが買物メモ１５２に含まれているか否かを検索する。その結果、小分類識別子「９９９」の小分類名「○社オリーブオイル」に対応するキーワード「油」が買物メモ１５２に含まれていると判断する。したがって、小分類識別子「９９９」の小分類名「○社オリーブオイル」の買物メモフラグが「１」になり、かつＭｕｓｔ−Ｂｙフラグが「Ｔｒｕｅ」になる。
【０１４６】
以降の動作は図６と同じで、広告配信装置２０は配信データ４００を携帯電話機１０に配信する（Ｓ６４，図１５中の▲２▼）。
【０１４７】
なお、広告配信装置２０はステップＳ６５で広告配信数をカウントした後、ステップＳ４１で受信した買物メモ１５２を記録する（Ｓ１１０）。記録された買物メモ１５２は広告配信装置２０で分析され、その分析結果は今後の広告戦略の資料として店舗で利用される。
【０１４８】
また、携帯電話機１０はステップＳ６６で配信データ４００を受信した後、前述のステップＳ６７及びＳ６８の処理を行うことなく、その配信データ４００を登録し、広告表示機能を実行する（Ｓ６９）。
【０１４９】
以上の実施の形態によれば、広告配信装置２０は配信一時ファイル３１０に登録されているキーワードで買物メモ１５２を検索し、買物メモ１５２に登録された商品に関連する広告をその買い主の携帯電話機１０に送信しているため、買い主は買物メモ１５２に登録した商品に関連する広告を閲覧することができる。
【０１５０】
以上、本発明の実施の形態を例示したが、本発明はその他の形態でも実施可能である。
【０１５１】
上記実施の形態では広告配信装置２０側で配信データ４００を作成しているため、携帯電話機１０の処理負荷は小さい。しかし、広告配信装置２０から配信一時ファイル３００を携帯電話機１０に送信し、携帯電話機１０側で配信データ４００を作成するようにしてもよい。また、広告登録端末３０はなくてもよく、広告配信装置２０と一体化されていてもよい。また、上記の有効日付は１日であるが、有効日付に代えて有効期間を登録するようにしてもよい。さらに上記システムは多店舗が参加する場合で説明したが、１つしか店舗が参加しない場合も同様に本発明は適用可能である。ただし、１つしか店舗がない場合、安値フラグは全て「０」に固定するか、削除する。
【０１５２】
以上、本発明の実施の形態を説明したが、上述した実施の形態は本発明を実施するための例示に過ぎない。よって、本発明は上述した実施の形態に限定されることなく、その趣旨を逸脱しない範囲内で上述した実施の形態を適宜変形して実施することが可能である。
【図面の簡単な説明】
【図１】本発明の実施の形態による広告配信システムの全体構成を示す機能ブロック図である。
【図２】図１に示した広告配信システムによる登録処理を示すフロー図である。
【図３】図１に示した広告配信システムによる価格マスタ更新処理を示すフロー図である。
【図４】図１に示した広告配信システムによる配信一時ファイル作成処理の動作を示すフロー図である。
【図５】図１に示した広告配信システムによる広告配信処理を説明するための概念図である。
【図６】図５に示した広告配信処理を示すフロー図である。
【図７】図６中のステップＳ３８における分類マスタを用いた買物メモの登録処理を説明するための概念図である。
【図８】図６中のステップＳ３８における手入力による買物メモの登録処理を説明するための概念図である。
【図９】図５中のステップＳ３９における価格差率の登録処理を説明するための概念図である。
【図１０】図１に示した広告配信システムの携帯電話機に表示された買物リストの画面を示す正面図である。
【図１１】図１に示した広告配信システムによるその他広告表示機能を説明するための画面遷移図である。
【図１２】図１に示した広告配信システムによる底値確認機能を説明するための画面遷移図である。
【図１３】図１に示した広告配信システムによる他店舗価格確認機能を説明するための画面遷移図である。
【図１４】図１に示した広告配信システムによる通常価格確認機能を説明するための画面遷移図である。
【図１５】他の実施の形態による広告配信処理を説明するための概略図である。
【図１６】図１５に示した広告配信処理を示すフロー図である。
【符号の説明】
１０  携帯電話機
２０  広告配信装置
３０  広告登録端末
１５２，１５５  買物メモ
１５４  価格差率
２０２  共通データベース
２０３  広告データベース
３００，３１０  配信一時ファイル
４００  配信データ
７００  商品マスタ
８００  価格マスタ
【図１】
2004192484.tif 000011
【図２】
2004192484.tif 000012
【図３】
2004192484.tif 000013
【図４】
2004192484.tif 000014
【図５】
2004192484.tif 000015
【図６】
2004192484.tif 000016
【図７】
2004192484.tif 000017
【図８】
2004192484.tif 000018
【図９】
2004192484.tif 000019
【図１０】
2004192484.tif 000020
【図１１】
2004192484.tif 000021
【図１２】
2004192484.tif 000022
【図１３】
2004192484.tif 000023
【図１４】
2004192484.tif 000024
【図１５】
2004192484.tif 000025
【図１６】
2004192484.tif 000026